(57)【要約】【課題】調節器本体の排水口を横切るよう設置された一枚の水位調節プレートを手動により上下動させるだけで、水田の水位を多段階に調節可能にする。【解決手段】調節器本体１は基部３からゲート部４が立ち上がり、コンクリートにより一体成形されている。ゲート部の前面に四角形の窪み部６を形成し、窪み部の底に円形の排水口７を開口させるとともに、水位調節プレート２が窪み部の底に沿って上下動するよう配設されている。水位調節プレートをゲート部のプレート溝８に挿し込み、所望の水位が得られるようプレート係止手段としてストッパ金具２０を水位調節プレートの穴１３に嵌め込みゲート部に係止する。これにより希望水位を簡単に保つことができるとともに、急な大雨や給水の止め忘れによってオーバした水を自動排水し、所定の水位に保たれる。【選択図】図１
2005124438.tif 000002
【特許請求の範囲】
【請求項１】
基部と、該基部に一体成形により立設され、前面から背面に貫通した排水口を有し、該排水口を横切りかつゲート部上面に開放されたプレート溝が設けられたゲート部と、前記排水口を下から部分的に塞ぐための水切り縁を持つ開口を有する水位調節プレートと、前記水位調節プレートを前記ゲート部に係止するプレート係止手段と、から成り、
前記水位調節プレートをゲート部のプレート溝に挿し込み、所望の水位が得られるよう前記プレート係止手段で水位調節プレートをゲート部に係止することを特徴とする水田水位調節器。
【請求項２】
請求項１において、ゲート部の前面に四角形の窪み部を形成し、前記窪み部の底に円形の排水口を開口させるとともに、水位調節プレートが前記窪み部の底に沿って上下動するよう配設されていることを特徴とする水田水位調節器。
【請求項３】
請求項１において、プレート係止手段は水位調節プレートの開口の上部中央に、プレート挿し込み方向に複数の穴を穿設し、該穴に係止部材を嵌め込んでゲート部上面に係止することを特徴とする水田水位調節器。
【請求項４】
請求項１において、水位調節プレートは開口の水切り縁を水平に形成し、該水切り縁の中央部に蛙の顔を形どった突出部を形成し、該突出部により水田から流出する水が分流されるよう構成されていることを特徴とする水田水位調節器。
【発明の詳細な説明】
【技術分野】
【０００１】
本発明は、水位調節プレートの手動による上下操作によって、希望水位を簡単に保つことができるとともに、機械作業がし易く、畔道を壊すことなく設置ができる水田水位調節器に関するものである。
【背景技術】
【０００２】
稲作は植付け後、１０日位で収量が決まると言われる程、水の管理が重大かつ不可欠である。従来、水田水位を調節する自動或いは手動装置には多くの提案があり、実用に供されているものもある。この種の水田水位調節器は、例えば、特許文献１には四角形の枡本体の中央にガイド付き仕切板が昇降する構造、或いは特許文献２には複数の仕切板を用意し、水田の水位に合わせて仕切板を１または複数枚を差し込んだり、抜いたりして調整する構造、或いは引用文献３にはコ型溝本体の中央内側壁に角溝とその内底に底溝を設け、この角溝及び底溝に適宜の高さの仕切板を嵌挿する構造などが提案されている。
【０００３】
【特許文献１】特開平８−２３７９８号公報
【特許文献２】実用新案登録第３０８８１３０号公報
【特許文献３】実開昭５７−１３７６４１号公報
【発明の開示】
【発明が解決しようとする課題】
【０００４】
従来の手動操作による水田水位調節器は構造が複雑であったり、排水の状況を見ながら簡単に細かい水位調節ができなかったりなど使い勝手が悪く、普及していなかった。
本発明の目的は、調節器本体の排水口を横切るよう設置された一枚の水位調節プレートを手動により上下させるだけで、水田の水位を多段階に調節可能にした水田水位調節器を提供することである。
【課題を解決するための手段】
【０００５】
請求項１の発明に係る水田水位調節器は、本体基部と、該本体基部に一体成形により立設され、前面から背面に貫通した排水口を有し、該排水口を横切りかつゲート部上面に開放されたプレート溝が設けられたゲート部と、排水口を下から部分的に塞ぐための水切り縁を持つ開口を有する水位調節プレートと、水位調節プレートをゲート部に係止するプレート係止手段と、から成り、水位調節プレートをゲート部のプレート溝に挿し込み、所望の水位が得られるようプレート係止手段で水位調節プレートをゲート部に係止することを特徴とする。
【０００６】
請求項２の発明は、請求項１において、ゲート部の前面に四角形の窪み部を形成し、前記窪み部の底に円形の排水口を開口させるとともに、水位調節プレートが前記窪み部の底に沿って上下動するよう配設されていることを特徴とする。
【０００７】
請求項３の発明は、請求項１において、プレート係止手段は水位調節プレートの開口の上部中央に、プレート挿し込み方向に複数の穴を穿設し、該穴に係止部材を嵌め込んでゲート部上面に係止することを特徴とする。
【０００８】
請求項４の発明は、請求項１において、水位調節プレートは開口の水切り縁を水平に形成し、該水切り縁の中央部に蛙の顔を形どった突出部を形成し、該突出部により水田からの水が分流されるよう構成されていることを特徴とする。
【発明の効果】
【０００９】
請求項１の発明によれば、水位調節プレートを水面を見ながら手動により上下操作することにより、希望水位を簡単に保つことができるとともに、急な大雨や給水の止め忘れによってオーバした水を自動排水し、所定の水位に保たれる。また、水田水位調節器は軽量化が図られているので、設置場所へ運び込みが簡単にできるとともに、畔の中に設置されるため機械作業がし易く、畔道を壊すことない。
【００１０】
請求項２の発明によれば、窪み部が広く開放されているので、水位調節プレートを広い範囲で見ることができるので、流水の様子が目視で確認し易くなる。
【００１１】
請求項３の発明によれば、水位調節プレートを稲の生育に合わせて多段階に位置決めできるので、きめ細かな水位調節を簡単かつ正確にできる。
【００１２】
請求項４の発明によれば、蛙の顔部分で水の流れを見ることで、水位調節が機能しているか否かが誰でも判断できる。
【発明を実施するための最良の形態】
【００１３】
調節器本体に設けた排水口からの水の流れ状況を見て水田の所望水位を簡単かつ正確に多段階に調節可能にするという目的を、調節器本体の排水口を横切るよう設置された一枚の水位調節プレートを上下動させ、所望の水位となるよう水位調節プレートを調節器本体に係止することで実現した。
【実施例１】
【００１４】
図１は本発明の水田水位調節器の一つの実施例の斜視図、図２は水田水位調節器の本体の斜視図、図３は本体のＡ−Ａ線に沿った断面図、図４は水位調節プレートの平面図、図５は水位調節プレートの側面図、図６は水位調節プレートの係止部材の平面図、図７は水位調節プレートの係止部材の側面図である。
【００１５】
水田水位調節器は調節器本体１と水位調節プレート２により構成されている。調節器本体１は基部３からゲート部４が立ち上がり、基部底面とゲート部背面が直角に構成されており、基部３およびゲート部４をコンクリートにより一体成形されている。ゲート部４は上方が基部３のほぼ半分の幅であって、中間から基部３の前端にかけて傾斜した側壁５が形成されている。
【００１６】
ゲート部４には正面（水田側）に側壁５の内寸法にほぼ等しい角形の窪み部６が設けられており、この窪み部６の底に内寸法に等しい内径の円形の排水口７が貫通して形成されている。排水口７はゲート部４に挿入される水位調節プレート２により開閉される。ゲート部４には上面に開口したプレート溝８が窪み部６の底面と側面とか交わる側面側に形成されており、このプレート溝８に水位調節プレート２を差し込んだとき窪み部６の底を横切る、つまり排水口７を横切って塞ぐように設けられている。
【００１７】
水位調節プレート２は薄い鋼板、例えばステンレス鋼板など、或いは合成樹脂、例えば塩化ビニールなどにより形成されており、プレートのほぼ中央に四隅をアール加工された角穴１０が設けられ、上端に把持部１１が設けられている。把持部１１の近傍には長穴１２が形成され、その長穴１２に指を通して把持部１１を握って水位調節プレート２を操作する。角穴１０と長穴１２との間には排水口７に対する水位調節プレート位置を複数段に変えるための複数の穴１３が水位調節プレート２の移動方向、つまり水位調節方向に穿設されており、この複数の各穴１３に対応して目盛り１４が付されている。
【００１８】
角穴１０の下辺には蛙の顔を形にした突出部１５が設けられており、流れ出る水が突出部１５によって分流され、排水されている様子が見られる。プレート背面には下端近傍から角穴１０の上辺に至る両側縁に突条１６が形成されている。突条１６を設けることにより、水位調節時において、水位調節プレート２をスムーズに上下移動させることができる。
【００１９】
水位調節プレート２は、図１に示すようにゲート部上面のプレート溝８に挿入し、水田水位に合わせた目盛り１４にプレート係止手段を構成するストッパ金具２０を挿し込むことによりゲート部４の上面を利用して支持される。ストッパ金具２０は水位調節プレート２の複数の穴１３に差し込める幅に形成され、プレート溝８に嵌り込むよう一部にＵ字形の折り曲げ部２１が設けられており、この折り曲げ部２１に水位調節プレート２の複数の穴１３が位置し、水位調節プレート２の自重によって確実に支持される。符号２２は水位調節プレート２とストッパ金具２０とを連結するための鎖である。水位を調節するときはストッパ金具２０を抜き取り、水位調節プレート１０を上下に移動させ、所望の位置にストッパ金具２０を挿し込んで支持する。
【００２０】
次に本実施例の作用を説明する。図８は本実施例の水田水位調節器を水田に設置した状態を示すものである。水田３０と排水路３１との間にあるあぜ道３２の水田側を掘って、図示の如く水田水位調節器の本体１を設置する。水田水位調節器の排水口７と排水路３１とを排水管３４によって接続する。水位調節プレート２を矢印で示す上下操作により所望の水位に簡単に調節が可能である。
【図面の簡単な説明】
【００２１】
【図１】本発明の水田水位調節器の一つの実施例の斜視図である。
【図２】水田水位調節器の本体の斜視図である。
【図３】図２のＡ−Ａ線に沿った断面図である。
【図４】水位調節プレートの平面図である。
【図５】水位調節プレートの側面図である。
【図６】水位調節プレートの係止部材の平面図である。
【図７】水位調節プレートの係止部材の側面図である。
【図８】本実施例の水田水位調節器を水田に設置した状態を示す説明図である。
【符号の説明】
【００２２】
１    調節器本体
２    水位調節プレート
３    基部
４    ゲート部
６    窪み部
７    排水口
８    プレート溝
１０  角穴
１３  穴
１４  目盛り
１５  蛙の顔の形をした突出部
２０  ストッパ金具（プレート係止手段）
【図１】
2005124438.tif 000003
【図２】
2005124438.tif 000004
【図３】
2005124438.tif 000005
【図４】
2005124438.tif 000006
【図５】
2005124438.tif 000007
【図６】
2005124438.tif 000008
【図７】
2005124438.tif 000009
【図８】
2005124438.tif 000010